(57)【特許請求の範囲】
【請求項１】
紙幣の投入と放出を行う入出金口を備えた紙幣取扱装置において、
前記入出金口には、表面に親水性膜を有し傾斜して設けられた開閉自在な入出金口扉と、前記入出金口扉の上に降雨した雨水を集積して装置外部に導いて排水する排水手段と、前記入出金口を前記入出金扉が塞いでいるときに前記入出金口扉の傾斜した下端に対向して設けられ、前記入出金口扉の下端に表面張力によって溜まった水滴と接触して、その水滴を前記排水手段に導く排水補助手段と、を備えたことを特徴とする紙幣取扱装置。
【請求項２】
前記親水性膜は、親水性剤を含有する塗料を塗布して形成されたことを特徴とする請求項１に記載の紙幣取扱装置。
【請求項３】
前記入出金口扉は合成樹脂で成形されており、前記親水性膜は、親水性剤を含有する透明な塗料を塗布して形成されたことを特徴とする請求項１に記載の紙幣取扱装置。
【請求項４】
前記親水性膜は、水に対する接触角が６０度以下となる膜で形成されていることを特徴とする請求項１乃至３のいずれかに記載の紙幣取扱装置。
【発明の詳細な説明】
【０００１】
【発明の属する技術分野】
本発明は、現金を直接入出金する紙幣取扱装置に関するものである。
【０００２】
【従来の技術】
各種ＡＴＭの中で、防犯等を考慮した壁埋め込み型のＡＴＭがある。この壁埋め込み型ＡＴＭは、ユーザーが各種の取引操作をしたり、カードや通帳挿入を行ったりする操作面（フロントフェース部）のみを壁の外側に露出させ、他の全ての部分（筐体本体）が壁の内側に設置されるものである。
通常、壁埋め込み型のＡＴＭの筐体は、ほぼ直方体で、操作面は筐体の垂直面にほぼ平行に配置されている。
【０００３】
この壁埋め込み型ＡＴＭの従来技術としては、例えば特開平１１−２３２５２７号公報がある。この従来技術においては、壁埋め込み型ＡＴＭが通常の６インチ厚の壁面よりも厚い１３インチ厚の壁に設置される場合、増加分の７インチ長さの搬送ユニットを備え、操作面から紙幣の処理部まで搬送する構成について開示されている。
この壁埋め込み型ＡＴＭの場合には、フロントフェース部がほぼ垂直になっているため、利用者が現金の出金を行う際には、現金はフロントフェース部に対してほぼ垂直、すなわち利用者からみてほぼ水平な操作面で出金することになっている。
【０００４】
現金を出金する場合には、ほぼ水平に排出された一枚ないし複数の紙幣を指で把持して手前に引きぬくことによって取り出すことは容易であり、一般に行われている。このような構成の場合には、出金のための開口部の大きさは、現金の最大出金枚数、例えば５０枚相当の紙幣厚さに加えて出金される紙幣の端部が引っかからない程度の厚さがあればよく、例えば１０ｍｍ程度の厚さのスリットであればよい。紙幣の先端が例えば３０ｍｍ程度開口部から突出すれば、容易に指で掴んで引き出すことができる。
【０００５】
水平に開口された開口部は、開口部の寸法が小さいために外気の温度による影響が装置内部に及ぶことが少なく、開口部はほぼ垂直面となっているために、雨天の場合でも開口部への雨水の滞留がなく、雨水が開口部から装置内部に侵入しにくい。
【０００６】
シャッタが垂直面になっている形態の入出金口では、例えば特開平６−２８２７２４号公報のように、シール材を使用せず、シャッタに当たった雨はシャッタ下部のレール部に集め、レールに排水口を設けて外部に排水する構成が開示されている。
【０００７】
しかし、水平に開口した口に紙幣を入金する際には以下のような問題が生じる。
例えば、腰の弱い紙幣や折れぐせのついた紙幣を入金しようとすると紙幣の端部や折れぐせ部分が垂れ下がるために、開口部にひっかかりやすくなる。特に多数枚の紙幣を水平に揃えて開口部に挿入し、一度に入金しようとすると、片手での投入は困難なので、両手を用いて入金することになり非常に不便である。
【０００８】
一方、特開２０００−１７２９４６号公報に記載されているような、入出金を行う紙幣の収容部を紙幣が立位に収納されるように配置したものは、従来から利用者が入金と出金の両方の操作を行うことができる構成であり、装置が屋内に設置される形態で広く一般に用いられている。
【０００９】
このような構成の現金自動取扱い装置においては、紙幣の収納部は立位に紙幣を収納するので入出金口のシャッタ(入出金口扉)はほぼ水平か、ないしは手前側が低くなるように傾斜した形態となっている。紙幣の入金が容易に行える寸法が必要なため、シャッタの寸法は紙幣の寸法よりもやや大きい、例えば縦１００ｍｍ横２００ｍｍ程度となる。シャッタを開放するためには例えばシャッタを奥側にスライドさせることで行われる。
【００１０】
【発明が解決しようとする課題】
壁埋め込み型のＡＴＭにおいて、入金ないし出金処理部においては紙幣を立位に保持して下端を揃えることが望ましい。ところが、このような構成の場合には入出金口の扉であるシャッタが入出金口の上面に設けられることになる。
【００１１】
このような構成の現金自動取扱い装置においては、紙幣の収納部は立位に紙幣を収納するので入出金口のシャッタはほぼ水平、若しくは一方が低くなるように傾斜した形態にする必要がある。
例えば、シャッタは奥側にスライドして開放する構造である。しかし、このようにシャッタが水平ないし傾斜した形態では、例えば雨天の際には雨水がシャッタの上に降雨するため、雨水が装置内部に入り込まないように、シャッタ上に大量の雨水が蓄積することを避けるよう雨水を連続的に排出することが必要である。
【００１２】
またさらに、シャッタを開いた際にシャッタの下端から装置内部に滴下する水滴は少ない方が好ましいので、雨天の際にシャッタが閉じた状態でシャッタ上面に蓄積しうる雨水水滴の量が少ないほど望ましい。
【００１３】
本発明の目的は、シャッタが水平若しくは傾斜した壁埋め込み型ＡＴＭに対する降水等によるシャッタ表面に溜まる水分量を低減することができる紙幣取扱装置を提供することにある。
【００１４】
【課題を解決するための手段】
上記目的は、紙幣の投入と放出を行う入出金口を備えた紙幣取扱装置において、前記入出金口には、表面に親水性膜を有し傾斜して設けられた開閉自在な入出金口扉と、前記入出金口扉の上に降雨した雨水を集積して装置外部に導いて排水する排水手段と、前記入出金口を前記入出金扉が塞いでいるときに前記入出金口扉の傾斜した下端に対向して設けられ、前記入出金口扉の下端に表面張力によって溜まった水滴と接触して、その水滴を前記排水手段に導く排水補助手段と、を備えたことにより達成される。
【００１５】
また、上記目的は、前記親水性膜は、親水性剤を含有する塗料を塗布して形成されたことにより達成される。
【００１６】
また、上記目的は、前記入出金口扉は合成樹脂で成形されており、前記親水性膜は、親水性剤を含有する透明な塗料を塗布して形成されたことにより達成される。
【００１７】
また、上記目的は、前記親水性膜は、水に対する接触角が６０度以下となる膜で形成されていることにより達成される。
【００１９】
【発明の実施の形態】
さて、上述したようにシャッタが略水平ないし傾斜した形態の入出金口では、外壁設置型に適用されて外気に接する環境に設置された場合には、例えば雨天の際には雨水がシャッタの上に降雨するので、シャッタ上に大量の雨水が蓄積することを避けるために雨水を連続的に排出することが必要である。
その排水量は、想定される最大雨量を排出可能な容量が必要となる。雨水が装置内部に侵入した場合には、装置の内部が濡れ、例えば紙幣を搬送するためのゴムローラが濡れて摩擦係数が乾燥時よりも変化して紙幣搬送性能の確保ができなかったり、鉄製部品の錆びの原因になったりするので避けなければならない。
【００２０】
またさらに、雨天の際あるいは雨が止んだ直後に入金ないし出金を行う場合には、入出金扉(シャッタ)の上面に降雨中ないし、すでに降雨した雨水が雨だれとして蓄積されているので、入金ないし出金を行うためにシャッタの開動作を行った際に、その雨だれがシャッタの縁(下端)から装置内部に滴下する。従って、雨だれの滴下量はできるだけ少ない方が望ましいのは言うまでもない。
【００２１】
そして、この雨だれの量を低減するためにはシャッタ上面から雨水が排水手段を通して装置外部に排水されやすいとともに、シャッタ上面に蓄積しうる雨水水滴の量が少ないほど望ましいということになる。
【００２２】
次に、入出金口の内部(下側)にあって、入金時には紙幣を受け入れ、出金時には紙幣を放出する、現金の入金処理部及び／又は出金処理部の構成と動作について説明する。入金処理部及び／又は出金処理部は、入金された紙幣を受け入れることと出金する紙幣を集積することができる収納部と、収納部に入金された紙幣を一枚ずつ分離して入金処理を行う分離機構と、出金処理時に出金する紙幣を揃えて集積するスタック機構とから構成される。
【００２３】
この現金の入金処理部及び／又は出金処理部においては、入金される現金は利用者によって紙幣の入金処理部である入出金口に投入されてから一枚ずつ繰り出されて処理される。このような構成は特開２０００−９９７９５号公報に開示されており、利用者に紙幣を放出するための収納部はほぼ立位に配置されている。
このように、利用者から紙幣を入金される場合には立位に紙幣を受け入れることによって、仮に紙幣が揃っていない状況で紙幣が投入された場合であっても重力を利用して紙幣の下端を揃えることができるので、分離機構によってこれらの紙幣を一枚ずつ繰り出して分離するのに好適である。
またさらに、紙幣を立位に保持することにより、分離機構によって一枚ずつに分離する際に、投入された紙幣の枚数によらず分離機構にかかる力は押圧機構により一定にすることができるので、分離の際に二枚が重なる重送などを避けることができ、信頼性を高めることができる。
【００２４】
一方、利用者に紙幣を出金する場合には、スタック機構において立位に紙幣を集積すれば、アジア諸国やヨーロッパ諸国の紙幣のように金種によってその寸法が大幅に異なる場合であっても、紙幣の下端が揃えられるので紙幣を受け取る利用者からみても好適である。
【００２５】
大小の紙幣が混在する場合には、紙幣の収納部は最大の紙幣の寸法より大となるので、紙幣を入金する場合に、最小の紙幣を収納部に投入すると、その位置は収納部の幅と高さの範囲内でばらつく。ここで、収納部が立位であれば、重力によって紙幣の下端が揃えられるので、入金処理のために分離機構で紙幣を分離する際に紙幣の大小によらず下端を一枚ずつ順番に分離することができる。
【００２６】
このように、シャッタ部分が屋外に露出する壁埋め込み型ＡＴＭは降水によるシャッタへの雨水溜りを極力低減しなくてはならないという重要な課題がある。そこで、本発明の発明者らは、以下の通りの改善検討を図った。
【００２７】
以下、本発明の現金自動取引装置の一実施例を図面を参照して詳細に説明する。
図１は、本発明を適用した壁埋め込み型の現金自動取引装置の外観を示す斜視図である。
図１において、現金取引装置１０１の本体筐体３０には利用者操作面であるフロントフェース部１０がほぼ立位にかつ本体筐体３０よりも突き出すように設けられており、フロントフェース部１０は建物の壁面Ｗ（図３に示す）に開口された穴にはめ込まれて設置されており、ＡＴＭの利用者は正面に立ったままで入出金などの各種現金取扱い操作を行うことができる。この突き出し量は建物の壁面の厚さ、たとえば５インチ程度となっている。フロントフェース部１０には、カードスロット１０２ａと連通し利用者のカードを処理し、取引明細票を印字して放出するカード・明細票処理機構１０２と、通帳スロット１０３ａと連通し利用者の通帳を処理し、取引内容を印字して放出する通帳処理機構１０３とを備えている。
【００２８】
利用者が紙幣の投入・取り出しを行う入出金口２０は、フロントフェース部１０に開口された略水平ないしフロントフェース１０の側が低くなるよう傾斜した面上に設けられており、開閉式のシャッタを備えている。この面上にはさらに取引の内容を表示する表示手段１０７および入力する顧客操作手段１０８とを備えている。
【００２９】
また、紙幣入出金手段１の下部の紙幣収納部は、装置筐体１０１ｂとは別の数十ｍｍの厚い鉄板で構成する金庫筐体１１６で囲まれている。装置筐体１０１ｂも堅固な筐体構造であるが、金庫筐体１１６はさらに堅固な構造で、セキュリティを高める。
この現金自動取引装置１０１は、カード、紙幣、明細票、通帳を媒体とし、利用者の預入れ、支払、振込等の処理を行うことができる。
【００３０】
図２は、本装置の制御関係を示す制御ブロック図である。
図２において、現金自動取引装置１０１に納められたカード・明細票処理手段１０２、通帳処理手段１０３、紙幣入出金手段１、顧客操作手段１０８、入出金口２０、表示手段１０７は、バス１０９を介して本体制御手段１０６と接続されており、本体制御手段１０６の制御の下に必要な動作を行う。本体制御手段１０６は、上記の他に、インタフェース手段１０６ｂ、係員操作手段１０６ｃ、外部記憶手段１０６ｄともバス１０９で接続されており、必要なデータのやりとりを行うが、本発明の特徴には直接関係がないので詳細な説明は省略する。なお、図２に示した１０１ｄは、上記各手段、構成部分に電力を供給する電源部である。
【００３１】
図３は、図１の本発明に関わる現金自動取引装置１０１の構成を示す側面図である。
図３において、紙幣入出金手段１は、利用者が紙幣の投入・取り出しを行う入出金口２０と、紙幣の判別を行う紙幣判別部３０と、入金した紙幣を取引成立までの間一旦収納する一時保管庫４０と、入金時取引が成立した紙幣を収納する１ヶの入金庫６０と、出金用の紙幣を収納する１ヶの出金庫７０と、入出金兼用のリサイクル庫８０と、リサイクル庫８０に補充する紙幣や、リサイクル庫から回収した紙幣を収納する装填・回収庫８１と、紙幣判別部３０を通り、入出金口２０、一時保管庫４０、入金庫６０、出金庫７０、リサイクル庫８０、装填・回収庫８１に対し、紙幣を搬送する紙幣搬送路５０と、図示せぬ制御部とから構成される。
【００３２】
紙幣入出金手段１は、図３に示すように、入出金口２０、紙幣判別部３０、一時保管庫４０と、紙幣搬送路５０から構成される上部搬送機構１ａと、入金庫６０、出金庫７０、リサイクル庫８０、装填・回収庫８１および、各収納庫の前面に配する、開閉可能な搬送路９０から構成される下部紙幣機構１ｂから構成される。さらに、下部紙幣機構１ｂは、約５０ｍｍ程度の厚い鉄板で構成される金庫筐体１１６の中に実装されており、上部搬送機構１ａと下部紙幣機構１ｂとの搬送路は、連結搬送路５０１ｈで接続されている。
【００３３】
連結搬送路５０１ｈは、下部紙幣機構１ｂを囲う金庫筐体１１６の上面鉄板と対向する上部搬送機構１ａの搬送路５０１ｇと下部紙幣機構１ｂの搬送路９０１ａの連結する位置に設けられている。
上面鉄板にあけられたスリットは、紙幣が通過するための長さと該スリットに搬送されてきた紙幣を挟持して繰り出すよう取り付けられた搬送ローラの幅の大きさを有する。下部紙幣機構１ｂを金庫筐体で囲わない構成をとる場合は、下部紙幣機構１ｂ上に直接上部搬送機構１ａが載置されるので、連結搬送路５０１ｈは必ずしも必要ではない。搬送路の駆動源（モータ）は、上部搬送機構の搬送路と下部紙幣機構の搬送路で別々に設けてもよいが、単一の駆動源を用い、駆動力を搬送路５０１ｇ−５０１ｈ−９０１ａ間に設けられたギヤで伝達するようにしてもよい。
【００３４】
また、紙幣搬送路５０は、紙幣判別部３０を双方向に通過し、矢印５０１ａ〜５０１ｈおよび９０１ａ〜９０１ｄに示す搬送路を経由して、入出金口２０、一時保管庫４０、入金庫６０、出金庫７０、リサイクル庫８０、装填・回収庫８１を接続している。各矢印のうち片方向矢印は、紙幣をその矢印方向にのみ搬送する一方向紙幣搬送路で、両方向の矢印は、紙幣を取引動作毎に双方向のいずれかに切り替えて搬送する双方向搬送路である。
【００３５】
紙幣搬送路５０のうち、下部紙幣機構１ｂにあって、入金庫６０、出金庫７０、リサイクル庫８０、装填・回収庫８１の前部にある５ヶ所の紙幣搬送路９０１ａ〜ｅは、一体となって開閉できるようにされた開閉搬送路９０を構成している。
【００３６】
入出金口２０上に降雨した雨水は排水路３１５に集積され、さらに縦排水路３１７を通じて装置外部に排出される。
【００３７】
図４は、本発明を備えた現金自動取引装置の紙幣取扱手段の制御関係を示すブロック図である。
図４において、制御手段３５は、装置の本体制御手段１０６とバス１０９を介して接続され、本体制御手段１０６からの指令および紙幣入出金手段１の状態検出に応じて紙幣入出金手段１の制御を行い、また、紙幣入出金手段１の状態を、必要に応じて本体制御手段１０６に送る。紙幣入出金手段１の中では、各ユニット（入出金口２０、紙幣判別手段３０、一時保管庫４０、紙幣搬送路５０、入金庫６０、出金庫７０、リサイクル庫８０、装填・回収庫８１）の駆動モータや電磁ソレノイドやセンサと接続され、取引に応じて、センサで状態を監視しながら、アクチュエータを駆動制御する。
【００３８】
図５は、本発明を備えた現金自動取引装置の背面扉を開いた際の外観を示す斜視図である。
【００３９】
図５において、装置１０１の後扉１０１ｄおよび金庫筐体１１６の後面扉１１６ｂを開閉できるように構成し、図示のように、両扉１０１ｄおよび１１６ｂを開くと、それぞれに把手のついた収納庫が現れる。係員はこの把手により各収納庫を引き出し、操作することができる。
以上のような構成を採用することにより、紙幣の補充・回収操作、異常発生時のジャム紙幣の除去操作などがやり易くなり、操作性が向上する。なお、各収納庫にレールを設けておけば収納庫の引き出しはスムーズに行える。
【００４０】
次に、紙幣処理手段１に備えられた入出金口２０の構成の一例について図６〜図１８を用いて説明する。
【００４１】
図６〜図１８は、入出金口２０の扉であるシャッタ２０１の概略構成と表面の親水性の効果について説明するものである。
図６および図７は水平に設置された親水性の異なる基材の表面に水滴１１４が付着した状態を示したもので、図６は親水性をもたない疎水性の基材１１０の表面に水滴が付着した状態、図７は親水性を備えた親水性膜１１１の表面に水滴が付着した状態を示している。
【００４２】
ここで図６に示した基材は例えばプラスチック成形材料を射出成形によって形成した基材であって、その表面は離型材が付着しているために疎水性を有し、水滴１１４との接触角をθ１とすると、この接触角θ１は、例えば７０度以上となっている。そして、このような接触角をもつ疎水性基材１１０表面に水滴１１４が付着した場合には、水滴１１４は表面張力によって球形を保とうとする。
【００４３】
一方、図７に示した例では、プラスチック成形材料を射出成形によって形成した基材１１５の表面に親水性を備えた親水性膜１１１を付着させており、水滴１１４との接触角をθ２とすると、この接触角θ２は、例えば５０度以下となっている。したがって、水滴は表面に沿って広がり、隣接した水滴同士が融合することによって水膜となる。これにより、親水性膜１１１の表面に付着した雨滴は、その親水性膜１１１と速やかになじんで水膜を形成することができる。
本発明による親水性膜１１１は、親水性剤を含有した塗料を塗布することにより形成された塗膜として構成したものであってもよい。
【００４４】
このようにすることにより、親水性剤を添加した塗料をシャッタの外表面に塗布するだけで、シャッタの外表面に容易に親水性膜を形成することができる。
【００４５】
また、好ましくは、本発明による親水性膜１１１は、親水性剤を含有するクリア塗料を、基材の表面に上塗り塗膜として塗布することにより形成したものであってもよい。
これにより、上塗り塗膜を形成する透明なクリア塗料に親水性剤を含ませるだけで、シャッタの外表面に親水性膜１１１を形成することができる。特に、基材をプラスチックにより成形した場合には、プラスチック材料を所定の色相の材料で成形することにより、上塗り塗膜はクリア塗料なので基材の色相がそのまま現れるので、いかなる色相の基材に対しても自在に対応することができる。
【００４６】
次に、図８〜図１１を用いて、図６〜７に示した親水性処理を施したシャッタ表面板に角度θの傾斜を備えた入出金口扉の構成の一例について説明する。
【００４７】
図８および図１０はシャッタ表面板３０２が疎水性の場合を示しており、図９および図１１は表面が親水性の場合を示している。
表面が疎水性の場合には、図６と同様に表面に降雨した雨水１１２は表面で多数の丸い水滴１１４となり、降雨量が増えるにしたがって個々の水滴のサイズは大きくなる。水滴のサイズが大きくなって表面張力による系止力より傾斜面による重力が大となると水滴はシャッタ表面板３０２の斜面に沿って下降してシャッタの下端３０２Ａにまで到達する。シャッタ下端３０２Ａでは水滴の一部は落下するが、一部はシャッタ下端の縁に沿って表面張力によって溜まり、シャッタ表面より大なる水滴１１３を形成する。
すなわち、降雨が継続した場合にはシャッタ表面板３０２全体に水滴１１４が付着し、シャッタ下端３０２Ａにはより大きな水滴１１３が付着しつつ下端から滴下する。このような状態では、降雨した雨水の量にほぼ等しい量が雨だれ１１５となって順次滴下するので、シャッタ表面板３０２に蓄積する水滴量はほぼ一定の量を保持することになる。シャッタ下端３０２Ａから雨だれ１１５となって滴下した水滴は排水路３１５に集積され、排水路３１５の傾斜に沿って矢印２３４方向に流れ、さらに縦排水路３１７を通じて装置外部に排出される構成である。
【００４８】
図９および図１１はシャッタ表面板３０２が親水性の場合を示しており、表面が親水性の場合には、表面に降雨した雨水１１２は表面で広がるので隣接する水滴同士が繋がって薄い水膜１１４ａを形成する。薄く広がった水膜１１４ａはシャッタ表面板３０２の傾斜面に沿って下降し、シャッタ下端３０２Ａに水滴１１３となってシャッタ下端３０２Ａに達する。シャッタ下端３０２Ａに達した水膜は、水の表面張力によって下端部３０２Ａで溜まった状態となる。シャッタ下端部３０２Ａで表面張力によって保持しうる水滴量を超えた場合にはその分の水滴は雨だれ１１５となってシャッタ下端３０２Ａから滴下する。シャッタ表面板３０２が親水性であっても、表面張力による水滴保持量が限界に達している場合には、降雨した雨水１１２の量にほぼ等しい水量が順次滴下するので、シャッタ表面板３０２に蓄積する水滴量はほぼ一定の値を保持することになる。
シャッタ下端３０２Ａから雨だれ１１５となって滴下した水滴は排水路３１５に集積され、排水路３１５の傾斜に沿って矢印２３４方向に流れ、さらに縦排水路３１７を通じて装置外部に排出される構成である。
【００４９】
ここで、シャッタ表面板３０２に蓄積する水分量を表面が疎水性の場合と親水性の場合とで比較すると、疎水性の場合には表面張力によって多数の水滴が表面全体に広く分布するのに対して、親水性の場合には水膜となってシャッタ下端３０２Ａに溜まるのみなので、親水性の場合の方がシャッタ表面に蓄積される水分量が少ない。
【００５０】
次に、親水性と水分量との関係を図１２を用いて実例により説明する。
図１２は、１００ｍｍ×２００ｍｍの平板に接触角の異なる表面処理を行い、その短辺がθ＝約１８°傾斜するように配置して表面に水滴を噴霧し、平板表面の接触角と、平板に残留する水滴量との関係を示した図である。
図１２の縦軸は、接触角がおよそ６０°の場合の残留水滴量を１００とした比で表わしている。図中の白丸のプロットは実測値であり、実線で傾向を示す。このように、接触角が小さいほど平板表面に残留する水滴量も低減していることがわかり、シャッタ表面を親水性とすることにより雨天の際にシャッタ表面に蓄積する水滴量を低減できる。図１２より明らかなように、接触角は６０°以下であることが望ましく、さらに好ましくは接触角が４０°程度である。黒丸のプロットおよび破線については後に説明する。
【００５１】
次に、排水補助部材の構成について説明する。図１０および図１１において説明したように、雨天の際のシャッタ表面に付着した水滴は表面張力によってシャッタの下端３０２Ａにまとまって溜まる。特に、表面が親水性の場合にはシャッタ表面は薄い水膜になるので、シャッタ表面にある水分の大部分はシャッタ下端３０２Ａに集中する。
【００５２】
そこで、図１３および図１４に示すようにシャッタ下端３０２Ａ先端に排水補助部材３４０を当接すれば、シャッタ下端３０２Ａに溜まった水滴１１４が排水補助部材３４０に沿って矢印Ｅ方向に流れ出すので水滴を排出することができる。この排水補助部材３４０は例えば水に濡れやすい繊維からなる布ないし不織布であればより好適である。
【００５３】
あるいは、布ないし不織布に限定されるものではなく、例えば排水路３１５の一部を突起状に成形して、その部分がシャッタ下端３０２Ａに当接するように構成してもよい。
【００５４】
図１３に示したのはシャッタ３０２表面が疎水性の場合である。排水補助部材３４０を当接させることによってシャッタ下端３０２Ａに溜まった水滴は排水することができるが、シャッタ表面全体に水滴１１４が付着した状態になっているために、これら表面の水滴１１４は排水することができず、結果として大部分の水滴はシャッタ表面に付着したままとなり、排水補助手段３４０の効果は少ない。
【００５５】
一方、図１４に示すように表面が親水性の場合には、水分の薄い膜１１４ａの大部分がシャッタ下端３０２Ａに集中しているので、排水補助手段３４０を当接することによって大部分の水分を排水することができ、排水補助手段３４０の効果が大きい。
【００５６】
ここで、排水補助手段３４０はシャッタ下端３０２Ａに当接するとしたが、例えば１ｍｍ以下程度の隙間があってもよく、この場合にシャッタ下端３０２Ａに蓄積した水滴がシャッタ下端３０２Ａよりも表面張力によってはみ出して排水補助手段３４０の表面に接すれば排水補助手段３４０に沿って排水することができる。
【００５７】
ところで、図１２に示した黒丸のプロットおよび破線は、図１３および図１４により説明したように、シャッタ下端３０２Ａに排水補助部材３４０を当接した場合の接触角とシャッタ３０２表面へに残留する水滴量を示したものである。実線と破線の比較により、排水補助部材３４０を備えることにより、シャッタ下端３０２Ａに蓄積する水滴を排水することができるので、シャッタ表面板３０２への残留水滴量が低減することがわかる。特に接触角が４０°以下と小さい場合には、水滴の大部分が排水補助手段３４０によって排水されることがわかる。
【００５８】
ここまで説明したように、シャッタ表面板３０２に親水性膜を備えるとともに排水補助手段３４０をシャッタ下端３０２Ａに当接させることによって、シャッタ表面に蓄積する水滴の量を低減することができるので、雨天の際、あるいは雨が上がった直後に入金ないし出金のためにシャッタを開く場合でも、シャッタから装置内部に滴下する水滴量を低減できる。
【００５９】
次に、図１５〜図１８を用いて、以上説明したシャッタ３０２表面に親水性処理を施すとともに排水補助手段３４０とを備えた入出金口扉の構成の一例について詳細に説明する。
【００６０】
図１５は、シャッタ２０１(入出金扉)が閉じた状態を示した斜視図である。
図１６は、シャッタ２０１が開いた状態を示した斜視図である。
図１５、１６において、シャッタ２０１は矢印２１７ａ方向にスライドさせて開閉し、図１６の図示２０１ａの状態に移動して開き、利用者が紙幣投入口から出金時の紙幣を取り出し、入金時の紙幣を投入できるようにする。
【００６１】
図１７は、図１５のＢ−Ｂ方向の断面図である。
図１８は、図１６のＣ−Ｃ方向の断面図である。
図１７、１８において、スライド部材３１０はスライドレール３１１ａおよび３１１ｂの間を矢印２１７ａないし矢印２１７ｂ方向に移動自在に支持されており、シャッタ２０１のシャッタ表面板３０２は表面に親水性膜１１１を備えるとともにスライド部材３１０に載置されている。シャッタ下端３０２Ａには排水補助手段３４０が当接されており、シャッタ下端３０２Ａから雨水を矢印３３３に沿って排水路３１５まで排水できる。
【００６２】
スライド部材３１０が矢印２１７ａないし矢印３３２方向に移動することによってシャッタ２０１が開放されて入出金口２０２が開いて利用者が入金ないし出金が可能な状態となる。３２０はシャッタカバーであり、シャッタ２０１が開いた際にはこのシャッタカバー３２０内部に収納され、図１６に示した状態となる。
【００６３】
次に、シャッタを開閉する機構構成の一例についてやはり図１５から図１８により説明する。
【００６４】
シャッタ２０１はスライド部材３１０に支持されており、シャッタ表面板３０２は図１７に示した支持材３２５によってスライド部材３１０に取り付けられている。スライド部材３１０は図１８に示した、例えば合成樹脂製のガイドレール２３９に設けられた溝に摺動自在に勘合して矢印２１７ａ方向に移動可能に支持されている。スライド部材３１０の他端は、合成樹脂製のガイド２３８によって支持されている。スライド部材３１０は両端を摩擦係数の低い合成樹脂によって支持されているので、スムースに矢印２１７ａ方向に移動可能である。
【００６５】
図１７のように、スライド部材３１０の一端にはラック２４０が設けられており、ギヤ２４１が回転するとスライド部材３１０はラック２４０によって移動する構造である。ギヤ２４１と対面側にはスライド部材３１０にガイドローラ２４２が押し付けられており、ギヤ２４１とラック２４０との噛み合いが外れることのない構成である。
図１８のように、ガイドローラ２４２はガイドローラシャフト２４３およびガイドローラ支持プレート２４４によって支持されている。ギヤ２４１はシャフト２４５を介して減速ギヤ２４６と連結されており、減速ギヤ２４６は図１７に示したモータ２４７に接続されたピニオンギヤ２４８と噛み合っている。モータ２４７が回転すると、減速ギヤ２４６を介して減速され、ギヤ２４１が回転してラック２４０が動作してシャッタ２０１が矢印２１７方向に移動する。図１５のシャッタ閉状態からシャッタを開くにはモータ２４７を反時計方向に回転させれば良く、図１６に示したシャッタ開状態からシャッタ２０１を閉じる際にはモータ２４７を時計方向に回転させれば良い。
【００６６】
次に、雨天の際にシャッタ上に降雨した雨水を装置外部に排水する構成について図１５から図１８を用いて説明する。
なお、図１５および図１６においては、後述する雨水カバーは省略して描いてある。
【００６７】
排水路３１５は、雨水を受け入れて流すことができる構成であり、図１５ないし図１６の（イ）部より（ロ）部が低くなるように傾斜して配置されているので、雨水はイ部よりロ部の向きに矢印２３４方向に流れる。
【００６８】
排水補助手段３４０はシャッタ表面板３０２の手前側の端面（下端）３０２Ａに接するように配置されており、排水補助手段３４０に沿って流れる水滴は下部排水路３１５の内部に滴下するように構成されている。
【００６９】
縦排水路３１７は、下部排水路３１５部まで流れてきた雨水を矢印３１８方向に排水する管である。縦排水路３１７は装置の外部にまで、雨水を排水する。側面排水路３１６ａと３１６ｂはシャッタ３０２の両側面に沿って配置されており、側面排水路の下端は下部排水路３１５に接続されており、側面排水路３１６ａないし３１６ｂを流れてきた雨水は下部排水路３１５に合流する構成である。側面排水路は底面が尖ったＶ字形の形状にしておくと、流水の水量が少ない場合にも流速が速くなるので雨水に含まれる沈殿物が沈殿するのを防止できるので好都合である。
シール材３２１はシャッタカバー３２０と雨水カバー３１２の間、下部排水路３１５と雨水カバー３１３の間、側面排水路３１６と雨水カバー３１４の間に互いに圧接されるように配置された例えば柔軟なゴム製の部材であって、雨水や外気が装置内部へ侵入するのを防止する。
【００７０】
図１７に示したように、シャッタ２０１の上流側に配置される雨水カバー３１２の先端３１２ｔの下端は、シャッタ表面板３０２の上流側の端部ないし端部近傍に配置された突起３０２ａの上端より下流側にかつ低く配置されて入れ子状をなしており、矢印３３０方向に流れる雨水ないしシャッタ２０１の表面に降雨した雨水の進入を防止している。
【００７１】
図１８に示したように、シャッタ２０１の側面に配置される雨水カバー３１４の下端３１４ａｔおよび３１４ｂｔはシャッタ表面板３０２の側面の端部ないし端部近傍に配置された突起３０２ｂおよび３０２ｃの上端より内側にかつ低く配置されて入れ子状をなしており、矢印３３４ないし３３５方向に流れる雨水ないしシャッタ表面に降雨した雨水の進入を防止している。
【００７２】
図１７に示したように、シャッタ表面板３０２の下流側においては雨水カバー３１３とシャッタ表面との間には空隙が設けられ、シャッタ表面板３０２上に降雨した雨水ないしシャッタ周囲に降雨してシャッタ上を矢印３３２方向に流れる雨水が通過可能な構成としている。
【００７３】
さらに、入出金口のシャッタ２０１を開ける時にシャッタ表面板３０２上に蓄積された水分が装置内部に落下することは避けたいので、シャッタ上面に蓄積する水分量を低減することが望ましい。そこで、シャッタ表面板３０２に図７のように親水性膜１１１を付加するとともに、シャッタ下端３０２Ａに排水補助手段３４０を当接させることによってシャッタ表面の水滴を排水補助手段３４０に沿って図１７のように矢印３３３に沿って排水路３１５内部に流出させ、その結果シャッタ表面板３０２の表面に蓄積する水分量を低減できる構成である。
【００７４】
次に、上記で説明したシャッタの構成を備えた入出金口を設けた現金自動取扱装置の動作を図１９、図２０で説明する。
【００７５】
図１９および図２０に示すように、入金取引時に利用者が紙幣を入金するときは、スライド部材３１０を動作してシャッタ２０１を矢印２１７ａ方向に動かして開き、入出金口２０を開口して前板２０４、押板２０３、後板２０５の間に紙幣２１０が矢印２２２方向に投入されるようにする。
【００７６】
次に、図２１のように、この入金された紙幣を繰り出し動作時、シャッタ２０１を矢印２１７ｂ方向に動かして閉じ、押板２０３でフィードローラ２０６の方向すなわち矢印４０３方向に押し付け、押板２０３ａ、前板２０４ａの状態にして、フィードローラ２０６の回転動作により送り出し、繰り出し方向には回転しないゲートローラ２０７で２枚送りを防止する。こうして、入出金口２０の紙幣２１０は矢印２０８方向へ繰り出され、紙幣搬送路５０に合流して装置内に取り込まれる。
【００７７】
また、装置内から出金される紙幣や、入金時紙幣判別できない等の理由でリジェクトされる紙幣は、図２２のように、装置内から矢印５０１ｊ方向に搬送されてきて、回転するスタックローラ２１１とバックアップローラ２１３の間に送り込まれる。ブラシローラ２１２は、バックアップローラ２１３と同一軸上にあって弾性部材２１２ａが図示のように放射状に配置してあり、図示せぬ駆動源により、バックアップローラ２１３とは独立して回転する。
スタックローラ２１１とバックアップローラ２１３の間に送り込まれた紙幣は、停止したブラシローラ２１２の弾性部材２１２ａに接触し、弾性部材２１２ａの弾性変形力により、スタックガイド２１４との間で、摩擦抵抗力を受けながら通過し、スタックローラ２１１とバックアップローラ２１３による挟持搬送力がなくなる図示破線２１５で示す紙幣位置で、一旦停止し、その直後に、ブラシローラ２１２を回転し、押板２０３ａ、後板２０５ａの間の空間に集積する。紙幣２１０の集積枚数が増加するに応じて押板は２０３ｂの位置に移動し、これにより、紙幣２１０は、収納空間内で、上方向に飛び出すことなく、ブラシローラ２１２により水平方向に掻き出すだけで、連続して搬送される紙幣同志が干渉することなく、上下の不整列が少なく、整然と集積される。
集積された紙幣２１０は、後板２０５と押板２０３に挟まれたまま図２３に示す位置に移動され、シャッタが矢印２１７ａ方向に移動して２０１ａの位置に開けられて取り出し準備が完了する。そこで、利用者は紙幣２１０を取り出すことができる。
【００７８】
次に、再び図３および図４を参照して紙幣処理手段１における紙幣２１０の処理の手順について説明する。
紙幣判別部３０は、詳細は図示してないが、１対のローラ間を紙幣が搬送されたときのローラの変位を検出して、２枚重なりかどうか検出する２枚検知部と、イメージセンサ等で紙幣の印刷等を検出して紙幣の金種、真偽を判別する鑑別部から構成され、各通過紙幣の判別結果を制御部３５に報告する。
【００７９】
一時保管庫４０は、入金取引時、入出金口２０から入金され、紙幣判別部３０で金種が確定した紙幣を順次収納し、取引が成立するまで一旦保留し、取引成立後、順次放出する機能を有する。
【００８０】
本実施例では、出金取引時、紙幣判別部３０で金種が確定しないリジェクト紙幣を収納し、出金動作が終了するまで一旦保留し、動作終了後、出金リジェクト収納動作時、リジェクト紙幣を放出する機能を有する。
【００８１】
再び図３において、入金庫６０は、本実施例では１ヶ実装している。入金庫６０に収納する紙幣は、紙幣搬送路（矢印９０１ａ）から、図示しない切り替えゲートによって矢印９０２ａの方向に搬送され、前記入金庫６０内に連続して搬送される紙幣同志は干渉することなく集積する。出金庫７０は、本実施例では１ヶ実装しており、出金用の紙幣は、係員により整列してセットされ、矢印９０２ｅの方向に一枚ずつ搬送され、紙幣搬送路の矢印９０１ｄの方向に搬送される。
【００８２】
リサイクル庫８０は、本実施例では、１ケ実装しており、前述の紙幣を連続して収納する入金庫６０と紙幣を連続して分離繰り出す出金庫７０の機能を併せ持って、収納と分離繰り出しのできる収納庫である。
【００８３】
装填・回収庫８１は、リサイクル庫８０と同一の構成で、後述のように、入出金取引には用いないが、リサイクル庫として運用してもよい。
【００８４】
次に、本実施例の紙幣入出金手段の動作について説明する。
入金取引動作時は、利用者が入金した紙幣を計数する入金計数動作と、計数した金額を利用者が承認して「確認」を入力した後、金種毎に個別の収納庫に収納する入金収納動作に区別される。利用者が入金取引きを中止するために「取消」を選択した場合には、取消返却動作を行う。
【００８５】
入金計数動作時、入出金口２０に投入された紙幣は、一枚ずつに分離され、矢印５０１ａ，５０１ｂを通って、紙幣判別部３０によって、紙幣の金種、真偽を判定される。判別ができた紙幣は、図示しない切替えゲートを切り替え、矢印５０１ｃから５０１ｄの方向へ搬送され、一時保管庫４０に一旦収納される。紙幣判別部３０で、判別できなかった紙幣や、傾きや紙幣同志の間隔の異常となった入金リジェクト紙幣は、一時保管庫４０には取り込まれず、図示しない切り替えゲートを切り替えて、矢印５０１ｆを通過し、入出金口２０に収納され、利用者に返却される。
【００８６】
入金収納動作時は、一時保管庫４０の回転ドラム４０１を収納時とは逆に回転し、巻き取られていた紙幣は、収納時とは逆の順に逆の方向に矢印５０１ｄに送出され、５０１ｃ，５０１ｂと搬送され、紙幣判別部３０を通過し、図示しない切り替えゲートを切り替え、５０１ｇ，５０１ｈ,９０１ａを経由し、入金庫６０、リサイクル庫８０、のいずれかの図示しない切替えゲートを切り替えて指定の収納庫に収納する。この時、紙幣判別部３０で再度金種、真偽等を判定し、収納庫を指定してもよいが、入金計数時に一時保管庫４０に収納する際の全紙幣の判別結果を記憶する手段を持って、その記憶内容に基づき、収納庫を指定してもよい。後者の方が、収納庫の指定に要する処理時間を短縮でき、紙幣搬送路のうち矢印５０１ｇ，５０１ｈ，９０１ａの部分を短縮できる。
【００８７】
利用者が「取消」を選択して取消返却動作を行う際には、一時保管庫４０の回転ドラム４０１を収納時とは逆に回転し、図示しない切替えゲートを切り替え、巻き取られていた紙幣は、収納時とは逆の順に矢印５０１ｅ、５０１ｆに搬送され、入出金口２０に収納して、利用者に返却する。
【００８８】
出金取引時は、出金庫７０、リサイクル庫８０の各金種毎の金庫から所定の枚数づつ繰り出し、矢印９０１ｄ、９０１ｃ、９０１ｂ、９０１ａ、５０１ｈ，５０１ｇと経由して、紙幣判別部３０で、金種を判別し、矢印５０１ｃ、５０１ｆを経由して入出金口２０に収納し、利用者に支払われる。紙幣判別部３０で判別できない出金リジェクトが発生した場合には、その紙幣は、図示しない切替えゲートを切り替え、一時保管庫４０に、入金計数時と同様に矢印５０１ｃ、５０１ｄを経由して一旦収納する。不足分の紙幣は出金庫７０やリサイクル庫８０から追加し繰り出される。
【００８９】
出金取引時にリジェクトが発生し、一時保管庫４０に収納した場合には、出金リジェクト収納動作を行う。
本実施例では、出金リジェクト紙幣は、一時保管庫４０から、すべて入金庫６０に収納する。あるいは、紙幣判別部３０を通過する際に、再度金種、真偽を判別し、判別可能な紙幣で、リサイクル庫８０に収納できる金種の紙幣はリサイクル庫８０に収納するようにすれば、リジェクト紙幣の枚数を低減でき、資金効率の向上がはかれる。
【００９０】
上記の構成を備えた入出金口およびシャッタを備えることにより、シャッタの表面ないし周囲に降雨した雨水が装置内部に流入することを防止するとともに、それらの雨水を装置外部に排出できる、という効果がある。
【００９１】
さらに、シャッタ表面に親水性膜を備え、さらに排水補助手段を備えることにより、シャッタ表面に溜まる水分量を低減することができるので、雨天の際、あるいは雨が上がった直後に入金ないし出金のためにシャッタを開く場合でも、シャッタから装置内部に滴下する水滴量を低減できる、という効果がある。
【００９２】
【発明の効果】
入出金口のシャッタが雨天環境においても安定して動作でき、シャッタ表面に溜まる水分量を低減することができるので、入出金口が外気に接した外壁設置型の現金自動取引装置を提供できる。
【図面の簡単な説明】
【図１】図１は、本発明の現金自動取引装置の一実施例の外観を示す斜視図である。
【図２】図２は、本発明の実施例に係る現金自動取引装置の制御関係を示すブロック図である。
【図３】図３は、本発明の現金自動取引装置の一実施例の構成を示す断面図である。
【図４】図４は、本発明の現金自動取引装置の紙幣取扱手段の制御関係を示すブロック図である。
【図５】図５は、本発明の現金自動取引装置の一実施例の背面扉を開いた際の外観を示す斜視図である。
【図６】図６は、本発明の現金自動取引装置の入出金口扉表面が疎水性の場合の水滴の状態を示す図である。
【図７】図７は、本発明の現金自動取引装置の入出金口扉表面が親水性の場合の水滴の状態を示す図である。
【図８】図８は、本発明の現金自動取引装置の入出金口扉表面が疎水性の場合の水滴の状態を示す斜視図である。
【図９】図９は、本発明の現金自動取引装置の入出金口扉表面が親水性の場合の水滴の状態を示す斜視図である。
【図１０】図１０は、本発明の現金自動取引装置の入出金口扉表面が疎水性の場合の水滴の状態を示す側面図である。
【図１１】図１１は、本発明の現金自動取引装置の入出金口扉表面が親水性の場合の水滴の状態を示す側面図である。
【図１２】図１２は、本発明の現金自動取引装置の入出金口扉表面の接触角と残留水滴量の関係を示す図である。
【図１３】図１３は、本発明の現金自動取引装置の入出金口扉表面が疎水性かつ排水補助手段を備えた場合の水滴の状態を示す側面図である。
【図１４】図１４は、本発明の現金自動取引装置の入出金口扉表面が親水性かつ排水補助手段を備えた場合の水滴の状態を示す側面図である。
【図１５】図１５は、本発明の現金自動取引装置の入出金口の構成を示す斜視図である。
【図１６】図１６は、本発明の現金自動取引装置の入出金口の他の構成を示す斜視図である。
【図１７】図１７は、本発明の現金自動取引装置の入出金口の構成を示す断面図である。
【図１８】図１８は、本発明の現金自動取引装置の入出金口の構成を示す別方向の断面図である。
【図１９】図１９は、本発明の実施例に係る入出金口の側面図である（待機時）である。
【図２０】図２０は、本発明の実施例に係る入出金口の側面図である（入金時）である。
【図２１】図２１は、本発明の実施例に係る入出金口の側面図である（繰り出し動作時）である。
【図２２】図２２は、本発明の実施例に係る入出金口の側面図である（出金時）である。
【図２３】図２３は、本発明の実施例に係る入出金口の側面図である（出金、シャッタ開時）である。
【符号の説明】
１…紙幣入出金手段、１０…フロントフェース部、２０…入出金口、３０…紙幣判別部、４０…一時保管庫、５０…紙幣搬送路、６０…入金庫、７０…出金庫、８０…リサイクル庫、１０１…現金自動取引装置、１０２…カード・明細票処理機構、１０７…表示手段、１０８…顧客操作手段、２０１…シャッタ、３０２…シャッタ表面板、３１０…スライド部材、３１２〜３１４…雨水カバー、３１５…下部排水路、３１６…側面排水路、３１７…縦排水路、３２１…シール材、３４０…排水補助手段。
【図１】
0004185705.tif 000002
【図２】
0004185705.tif 000003
【図３】
0004185705.tif 000004
【図４】
0004185705.tif 000005
【図５】
0004185705.tif 000006
【図６】
0004185705.tif 000007
【図７】
0004185705.tif 000008
【図８】
0004185705.tif 000009
【図９】
0004185705.tif 000010
【図１０】
0004185705.tif 000011
【図１１】
0004185705.tif 000012
【図１２】
0004185705.tif 000013
【図１３】
0004185705.tif 000014
【図１４】
0004185705.tif 000015
【図１５】
0004185705.tif 000016
【図１６】
0004185705.tif 000017
【図１７】
0004185705.tif 000018
【図１８】
0004185705.tif 000019
【図１９】
0004185705.tif 000020
【図２０】
0004185705.tif 000021
【図２１】
0004185705.tif 000022
【図２２】
0004185705.tif 000023
【図２３】
0004185705.tif 000024